【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域に設けられ、遊技球が入球可能な始動口と、
前記始動口への遊技球の入球を契機として乱数値を取得する乱数取得手段と、
前記乱数取得手段により取得した乱数値に基づき当否判定を実行する当否判定手段と、
前記乱数取得手段により乱数値が取得された場合、当否判定許可条件を充足するまでの間、当該取得した乱数値を保留情報として所定の上限数まで記憶する保留記憶手段と、
前記当否判定の結果を示す図柄が変動表示および停止表示される図柄表示装置と、
前記当否判定の結果が大当りとなる場合に、遊技者にとって有利な特別遊技へ移行し得る特別遊技実行手段と、
所定の演出が表示される演出表示装置と、
前記演出表示装置に表示させる演出を決定する演出決定手段とを備え、
変動表示が特定の変動表示である場合、当該変動表示において特定演出を実行可能であり、
前記保留記憶手段に記憶された保留情報を対象として当該保留情報に係る特別遊技移行期待度を示唆又は報知する先読み演出を実行可能であり、
前記保留記憶手段に記憶された保留情報を対象として先読み演出が実行される場合、先読み演出の演出態様に応じて当該保留情報に係る特別遊技移行期待度が異なるように構成されており、
前記保留記憶手段に複数の保留情報が記憶されている状況において、複数の保留情報のうち所定の保留情報に対応した変動表示が特定の変動表示である場合は、複数の保留情報のうち所定の保留情報に対応した変動表示において特定演出は実行され得るが、複数の保留情報のうち所定の保留情報よりも先に当否判定許可条件を充足する先行の保留情報に対応した変動表示において特定演出は実行されず、
先読み演出の演出態様に応じて、所定の保留情報に対応する変動表示において特定演出の実行確率が異なるよう構成されており、
特定演出は遊技者が操作可能な操作手段が操作されることを契機として実行される演出であり、
特別遊技の種類として、遊技者に対する有利度が所定の有利度に設定された第１特別遊技と、遊技者に対する有利度が第１特別遊技よりも低く設定された第２特別遊技とを少なくとも含み、
前記当否判定の結果がはずれである場合に実行される変動表示では特定演出が実行されない一方で、
前記当否判定の結果が大当りである場合に実行される変動表示が第１特別遊技への移行契機となる変動表示であれば特定演出が実行され得るが、前記当否判定の結果が大当りである場合に実行される変動表示が第２特別遊技への移行契機となる変動表示であれば特定演出が実行されないように構成されていることを特徴とする、ぱちんこ遊技機。
【手続補正２】
【補正対象書類名】明細書
【補正対象項目名】０００７
【補正方法】変更
【補正の内容】
【０００７】
このような目的達成のために、本発明に係るある態様のぱちんこ遊技機は、遊技領域が形成された遊技盤と、前記遊技領域に設けられ、遊技球が入球可能な始動口と、前記始動口への遊技球の入球を契機として乱数値を取得する乱数取得手段と、前記乱数取得手段により取得した乱数値に基づき当否判定を実行する当否判定手段と、前記乱数取得手段により乱数値が取得された場合、当否判定許可条件を充足するまでの間、当該取得した乱数値を保留情報として所定の上限数まで記憶する保留記憶手段と、前記当否判定の結果を示す図柄が変動表示および停止表示される図柄表示装置と、前記当否判定の結果が大当りとなる場合に、遊技者にとって有利な特別遊技へ移行し得る特別遊技実行手段と、所定の演出が表示される演出表示装置と、前記演出表示装置に表示させる演出を決定する演出決定手段とを備え、変動表示が特定の変動表示である場合、当該変動表示において特定演出を実行可能であり、前記保留記憶手段に記憶された保留情報を対象として当該保留情報に係る特別遊技移行期待度を示唆又は報知する先読み演出を実行可能であり、前記保留記憶手段に記憶された保留情報を対象として先読み演出が実行される場合、先読み演出の演出態様に応じて当該保留情報に係る特別遊技移行期待度が異なるように構成されており、前記保留記憶手段に複数の保留情報が記憶されている状況において、複数の保留情報のうち所定の保留情報に対応した変動表示が特定の変動表示である場合は、複数の保留情報のうち所定の保留情報に対応した変動表示において特定演出は実行され得るが、複数の保留情報のうち所定の保留情報よりも先に当否判定許可条件を充足する先行の保留情報に対応した変動表示において特定演出は実行されず、先読み演出の演出態様に応じて、所定の保留情報に対応する変動表示において特定演出の実行確率が異なるよう構成されており、特定演出は遊技者が操作可能な操作手段が操作されることを契機として実行される演出であり、特別遊技の種類として、遊技者に対する有利度が所定の有利度に設定された第１特別遊技と、遊技者に対する有利度が第１特別遊技よりも低く設定された第２特別遊技とを少なくとも含み、前記当否判定の結果がはずれである場合に実行される変動表示では特定演出が実行されない一方で、前記当否判定の結果が大当りである場合に実行される変動表示が第１特別遊技への移行契機となる変動表示であれば特定演出が実行され得るが、前記当否判定の結果が大当りである場合に実行される変動表示が第２特別遊技への移行契機となる変動表示であれば特定演出が実行されないように構成されていることを特徴とする。
＜付記＞
尚、本発明のある態様とは異なる別態様について以下に列記しておくが、これらには何ら限定されることなく実施することが可能である。
本発明のある態様とは異なる別態様のぱちんこ遊技機は、遊技領域が形成された遊技盤と、前記遊技領域に設けられ、遊技球が入球可能な始動口と、前記始動口への遊技球の入球を契機として乱数値を取得する乱数取得手段と、前記乱数取得手段により取得した乱数値に基づき当否判定を実行する当否判定手段と、前記乱数取得手段により乱数値が取得された場合、当否判定許可条件を充足するまでの間、当該取得した乱数値を保留情報として所定の上限数まで記憶する保留記憶手段と、前記当否判定の結果を示す図柄が変動表示および停止表示される図柄表示装置と、前記当否判定の結果が大当りとなる場合に、遊技者にとって有利な特別遊技へ移行し得る特別遊技実行手段と、所定の演出が表示される演出表示装置と、前記演出表示装置に表示させる演出を決定する演出決定手段と、複数種の演出状態の間で当該演出状態を移行させる制御を行う演出状態設定手段とを備え、演出表示装置に表示される演出として特定演出と非特定演出とを含み、所定条件が充足したことを契機として特定演出の実行確率が他の演出状態と比較して相対的に高い特殊演出状態に移行し、特定演出は、非特定演出と比較して特別遊技移行期待度が相対的に高く、特殊演出状態以外の他の演出状態でも実行され得るように制御され、前記保留記憶手段に記憶された保留情報を対象として当該保留情報に係る特別遊技移行期待度を示唆又は報知する先読み演出を実行可能であり、特殊演出状態において実行され得る先読み演出として先読み演出Ａと先読み演出Ｂとを備え、前記保留記憶手段に記憶された保留情報を対象として先読み演出Ａが実行される場合よりも、前記保留記憶手段に記憶された保留情報を対象として先読み演出Ｂが実行される場合の方が、当該保留情報に対応する変動表示において特定演出の実行確率が高くなるように構成されていることを特徴とする。